(57)【特許請求の範囲】
【請求項１】
基礎の上面に複数形成された穴部に支柱を差し込んで基礎上に支柱を立て並べ、支柱の側部に設けられた凹溝に壁面パネルの側端部を嵌め込んで、支柱の間に壁面パネルを取り付けることにより止水壁を形成する止水壁構成体の前記支柱において、
凹溝が設けられた側部を除いた前記支柱の周側部であって穴部に差し込んだときに基礎上に露出する部分の下端から少なくとも壁面パネルが取付けられる位置の高さに至る表面部分に、弾性材が取付けられた構成を有することを特徴とする止水壁構成体の支柱。
【請求項２】
基礎の上面に複数形成された穴部に支柱を差し込んで基礎上に支柱を立て並べ、支柱の側部に設けられた凹溝に壁面パネルの側端部を嵌め込んで、支柱の間に壁面パネルを取り付けることにより止水壁を形成する止水壁構成体の前記支柱において、
前記支柱は平面視多角断面形状に設けられた周側部の内の一の側部に凹溝を設けて形成されているとともに、凹溝が設けられた側部を除いた周側部のうちの少なくとも一つの側部であって支柱が穴部に差し込まれたときに基礎上に露出する部分の下端から少なくとも壁面パネルが取付けられる位置の高さに至る表面部分に、弾性材が取付けられた構成を有することを特徴とする止水壁構成体の支柱。
【請求項３】
支柱の表面に取付けられる弾性材は、合成ゴムを主材とする発泡弾性ゴム材であることを特徴とする請求項１又は２に記載の止水壁構成体の支柱。
【請求項４】
穴部に差し込まれる支柱の下部領域であって支柱が穴部に差し込まれた状態で穴部の上端に面する支柱の表面に沿って、穴部内面と支柱表面との隙間を塞ぐためのリング状弾性材が取付けられ、
このリング状弾性材が取付けられた位置よりも上側の支柱の外側面に、穴部周辺の基礎上面に係合するストッパー片が設けられているとともに、支柱の外周に鍔状の弾性材が嵌め込まれ、当該鍔状弾性材が前記ストッパー片の下面に重ねて設けられた構成を有することを特徴とする請求項１〜３の何れかに記載の止水壁構成体の支柱。
【請求項５】
支柱の凹溝に嵌め込まれた壁面パネルのパネル面に圧接する押圧手段が支柱に設けられた構成を有することを特徴とする請求項１〜４の何れかに記載の止水壁構成体の支柱。
【請求項６】
基礎の上面に形成された穴部に着脱自在な請求項１〜５の何れかに記載の複数の支柱と、基礎上に立て並べた支柱の間で支持される壁面パネルとを具備した構成を有する止水壁構成体。
【請求項７】
構造物の出入口の両側の基礎に形成された穴部に、請求項１〜５の何れかに記載の支柱をそれぞれ差し込んで設置し、両支柱の側部に取付けられた弾性材を構造物の表面に密接させるとともに、両支柱の側部に設けられた凹溝に壁面パネルの側端部を嵌め込んで壁面パネルを取り付けることにより前記出入口に沿って止水壁を形成する構造物の出入口の止水構造。
【発明の詳細な説明】
【技術分野】
【０００１】
本発明は、大雨に伴う河川の氾濫や下水道からの溢水が発生した際に、浸水の虞のある建物の玄関や地下道の出入通路などの構造物の出入口に設置して止水壁を構成する止水壁構成体に係り、止水性能を高める改良が施された止水壁構成体の支柱の構造に関する。
【背景技術】
【０００２】
屋外から構造物内への水の進入防止のために使用される土嚢に代えて、予め構造物の出入口の両側に、それぞれ側面に溝部を有する１ｍ程の長さの支柱を互いに溝部を向かい合わせにして取付けておき、豪雨などで構造物が浸水する虞が生じた際に、両支柱の溝部に止水板を嵌め入れて、構造物の出入口を塞ぐ止水壁を構成する防水装置が利用されている（例えば特許文献１参照）。
【０００３】
また、大雨により河川からの越水が予想されるときに、これを防ぐための可搬式堤防として、例えば図１６に示されるように、河川敷などの平坦な基礎１０１の上面に所定の間隔を開けて複数の差込用の穴部１０２を設けておき、穴部１０２に支柱１０３を差し込んで立て並べ、壁面パネル１０４を支柱１０３，１０３の間に嵌め込んで支持させることにより、緊急用の止水壁を基礎１０１上に形成する構成のものが知られている（例えば特許文献２，３参照）。
【先行技術文献】
【特許文献】
【０００４】
【特許文献１】特開２００１−９８７９２号公報
【特許文献２】実用新案登録第３１６６８２２号公報
【特許文献３】特許第４８９８９７３号公報
【発明の開示】
【発明が解決しようとする課題】
【０００５】
従来の防水装置は、構造物の出入口に沿って予め支柱を立てておくことで、緊急時に短時間で支柱間に止水板を嵌め入れて止水壁を構成することができるという利点がある。しかし、都市部の住宅や商店の出入口にこのような支柱が設置されていたのでは、外観上の見栄えが悪くなるとともに、支柱が設置されている分、出入口の幅が狭くなり、出入口を通る際に手や足が支柱にぶつかるなどして、建物への出入りに支障を来たす虞もある。
【０００６】
都市部の住宅や商店の出入口などの、人の行き来が頻繁にある場所に防水装置を設置する場合、前記図１６に示された可搬式堤防１００の支柱１０３のように、支柱が基礎に対して着脱自在に設置することができるように構成されていることが好ましいが、その場合に、道路側に面した構造物の外面と基礎に立てた支柱との間に僅かにでも隙間あると、その隙間から止水壁の内側に水が入り込んで構造物が浸水することは避けられない。支柱を着脱自在に構成する場合、基礎に支柱を設置した状態で、その支柱と構造物の外面との間を確実に隙間なく塞いで、水が入り込まないようにするための手段を講じる必要がある。
【０００７】
本発明は従来技術の有するこのような問題点に鑑み、構造物の出入口に面して設置される止水壁構成体において、前記出入口付近の基礎上に支柱を着脱自在に設置することができるようにするととともに、設置した支柱と構造物の外面の間を水密に塞いで、止水壁の内側に水が入り込まないように構成することを課題とする。
【課題を解決するための手段】
【０００８】
前記課題を解決するため本発明は、基礎の上面に複数形成された穴部に支柱を差し込んで基礎上に支柱を立て並べ、支柱の側部に設けられた凹溝に壁面パネルの側端部を嵌め込んで、支柱の間に壁面パネルを取り付けることにより止水壁を形成する止水壁構成体の前記支柱において、凹溝が設けられた側部を除いた前記支柱の周側部であって穴部に差し込んだときに基礎上に露出する部分の下端から少なくとも壁面パネルが取付けられる位置の高さに至る表面部分に、弾性材が取付けられた構成を有することを特徴とする。
また、支柱の別な形態として本発明は、前記支柱が、平面視多角断面形状に設けられた周側部の内の一の側部に凹溝を設けて形成されているとともに、凹溝が設けられた側部を除いた周側部のうちの少なくとも一つの側部であって支柱が穴部に差し込まれたときに基礎上に露出する部分の下端から少なくとも壁面パネルが取付けられる位置の高さに至る表面部分に、弾性材が取付けられた構成を有することを特徴とする。
【０００９】
これによれば、基礎に設ける穴部の位置を、支柱を穴部に差し込んだときに、支柱の周側部に取付けられた弾性材が構造物の外面に密着接合するように設定しておくことで、大雨などで構造物への浸水の危険が生じた際に、穴部を支柱に差し込めば、基礎上に立てた支柱の周側部の弾性材がそのまま構造物の外面に密着接合して支柱と構造物の間の隙間が塞がれ、両部材の間から止水壁の内側に水が入り込むことはない。支柱と構造物の間隙に沿ってカバー材を装着するなどの、両部材の隙間を塞ぐための他の部材や手段は不要である。
【００１０】
支柱への弾性材の取付けは、壁面パネルが装着される凹溝が設けられた側部を除いた支柱の周側部の内で、少なくとも支柱を基礎上に立てたときに構造物の表面に面する位置の側部を含む表面部分に取付ける必要がある。凹溝が設けられた側部を除く、支柱の周側部の全体に弾性材が取付けられていれば、支柱を設置する際に構造物に対する支柱の設置位置の方向性を考慮する必要がなく好ましい。
弾性材は、支柱を穴部に差し込んだときに基礎上に露出する部分の下端から、少なくとも壁面パネルが取付けられる位置の高さに至る表面部分に取付けてあれば、支柱の間に保持された壁面パネルで止水される水位の水が、支柱と構造物の間から止水壁の内側に入り込むことを確実に防止することができる。支柱の基礎上に露出する部分の下端から上端まで全体に弾性材が取付けられていてもよい。
【００１１】
支柱の表面に取付ける弾性材の素材としては、耐候性が良好で、容易に圧縮及び伸縮して、構造物表面の偏平な部分や湾曲した部分、或いは傾斜した面や凹凸ある粗面に密着して高い水密性を発揮する材料のもの、例えばエチレンプロピレンジエンゴムやブチルゴムなどの合成樹脂製のゴムや、これらを主成分として独立気泡、半独立気泡から連続気泡で発泡させた発泡材を用いることができる。
これらの材料であれば、基礎上に支柱を立てたときに弾性材が構造物の外面にぴったりと密着して接合し、良好な水密性を得ることができる。弾性材を市販の材料を加工して形成する場合、エチレンプロピレンジエンゴムを主成分とした半独立半連続気泡の発泡成形品である「エプトシーラー」（登録商標；日東電工株式会社製）の利用が好適である。
支柱への弾性材の取付けは、両面粘着テープなどの固着手段を用いて行なうことができる。
【００１２】
弾性材と構造物の外面の接触部分の水密性を高めるため、弾性材は構造物に接する前の元の状態から適度に潰れて圧縮した状態で構造物に密接するように設けることが好ましい。例えば支柱の表面に３０ｍｍ程度の厚みの弾性材を取付け、基礎上に支柱を立てたときに、弾性材が構造物表面に接触することで１０ｍｍ〜２０ｍｍ程度の厚みに圧縮するように設ければ、圧縮した弾性材が構造物表面にぴったり密着して両部材間の隙間を塞ぎ、支柱と構造物表面の空間が弾性材により確実にシールされる。この場合、基礎に設ける穴部の位置は、支柱を穴部に差し込んだときに、弾性材が構造物の外面に圧縮した状態で密着接合するように設定しておく必要がある。
【００１３】
前記構成の支柱は、穴部に差し込まれる支柱の下部領域であって支柱が穴部に差し込まれた状態で穴部の上端に面する支柱の表面に沿って、穴部内面と支柱表面との隙間を塞ぐためのリング状弾性材が取付けられ、このリング状弾性材が取付けられた位置よりも上側の支柱の外側面に、穴部周辺の基礎上面に係合するストッパー片が設けられているとともに、支柱の外周に鍔状の弾性材が嵌め込まれ、当該鍔状弾性材が前記ストッパー片の下面に重ねて設けられた構成とすることができる。
【００１４】
これによれば、支柱を穴部に差し込んで支柱の下部領域を穴部に差し込み、穴部の上端にストッパー片が係合することにより、基礎の上面に支柱を安定的に立たせることができる。
支柱を穴部に差し込んだ状態で、支柱の下部領域の表面に固着したリング状弾性材が、自身の弾性により支柱の表面と穴部の内面との間に圧入するため、支柱の表面と穴部の内面とに密着するリング状弾性材によって、穴部上端における穴部内面と支柱表面との間の隙間が塞がれ、この隙間を通って水が漏れ出ることを効果的に防止することができる。
リング状弾性材は、穴部に支柱を差し込んだときに、穴部の内面と支柱の表面の間の隙間を塞ぐ大きさに設けることで、穴部を、支柱の差し込み操作に支障が生じない程度の大きさ、つまり、穴部の内形寸法を支柱の外形寸法に対して若干大きめに設定して形成することができ、これにより穴部への支柱の差し込み操作の容易性が担保され、支柱を設置する際の作業性を良好にすることができる。
【００１５】
また、ストッパー片の下側に鍔状弾性材が支柱の外周面に嵌め込まれ、この鍔状弾性材をストッパー片の下面に重ねて設置してあるので、支柱を穴部に差し込むと、ストッパー片が穴部上端に係合するのに伴って鍔状弾性材が穴部の上端周辺に接合し、併せてストッパー片の下面と支柱間に架設される壁面パネルの下端部で鍔状弾性材が下方へ押圧されて圧縮し、穴部上端における支柱の表面と穴部の内面との隙間に密着して嵌り込むことで支柱と穴部の接続部位の隙間が密閉され、当該接続部位の止水性がより高まる。
鍔状弾性材は、自身の弾性により穴部上端の周辺形状に沿って変形して接合するため、穴部が開けられた基礎の上面が凸凹していたり小石などが挟まっていたりしても穴部の上端周辺に密着して接合し、また、支柱の穴部との接続部位に水圧による荷重が集中して穴部内で支柱の位置が偏っても、支柱の偏りに追随して鍔状弾性材が変形して支柱の表面と穴部の内面との隙間に密着して嵌り込んだ状態が維持され、支柱と穴部の接続部位に隙間ができ、そこから水漏れが生じることはない。
【００１６】
前記リング状弾性材は、厚さ方向に収縮可能なゴム材や合成樹脂材などの弾性を有する適宜な材質のもの用い、支柱表面と穴部内面との隙間を確実に塞ぐために、適宜な厚み、幅及び長さに形成したものを用い、支柱の表面周方向に沿って帯状に固着して取付けることができる。
また、前記鍔状弾性材は、支柱の側部に取付けられる前記弾性材と同様な材質のものを用いることができる。その他、不織布や心材を合成樹脂製のシート又は不織布、心材の表裏層を合成ゴムを主材とする発泡弾性ゴム材とした積層構造に形成したものを用いることができる。鍔状弾性材は、その内側が支柱の断面形状と略同じ形状で開口していて、この開口部分に支柱がすっぽりと嵌り、且つ嵌った状態で支柱の外周面から外方へ適宜な幅で突出した鍔部を備えたリング状に形成することができ、鍔部の幅は５ｍｍ〜２０ｍｍ程度に設けることができる。鍔状弾性材の厚みは、その形成材料の圧縮及び伸縮性能により、例えば２ｍｍ〜１０ｍｍ程度の適宜な寸法に設定することができる。鍔状弾性材を、エチレンプロピレンジエンゴムやブチルゴムなどを主成分とした発泡弾性材料で形成する場合、その厚みは５ｍｍ程度に設定することができる。
【００１７】
また、前記構成の支柱は、支柱の凹溝に嵌め込まれる壁面パネルのパネル面に圧接する押圧手段を設けた構成とすることができる。
支柱に壁面パネルを装着支持させて止水壁を構成する場合、支柱の凹溝と壁面パネルの側端部のクリアランスをできる限り小さくすることが、止水性能を確保する上で望ましい。一方、クリアランスが全くないと、壁面パネルの凹溝への抜き差し操作がし難くなり、組み立て及び解体する際の作業性が悪くなる。
前記のように、壁面パネルのパネル面に圧接してパネル面を押圧する手段を支柱に設ければ、支柱の凹溝に壁面パネルを嵌め込むと、壁面パネルは押圧手段でパネル面が押されて、その側端部を凹溝内面に密着させて凹溝内の所定の装着位置に保持されるので、水位が低い場合でも、止水性能を維持して漏水の発生を防止することができ、また、凹溝と壁面パネルの側端部のクリアランスは壁面パネルの抜き差し操作に支障が生じない程度の大きさに設定することができる。
押圧手段は、例えば支柱の凹溝の両側に適宜な形状の弾性部材を、その一部が凹溝内に僅かに突出するように設けた構成とすることができる。円柱形状や円錐台形状のゴム材を、その周面の一部が凹溝内にはみ出るように配置して、凹溝の一方の側に配置し又は両側の支柱外面に対向設置した構成のものでもよい。
また、押圧手段は、支柱に壁面パネルを抜き差しする方向に沿ってパネル面に圧接しながら回転し得るように設けてもよい。押圧手段がパネルに圧接しながら回転することで、壁面パネルの抜き差し操作が容易となり、併せて壁面パネルを凹溝内の所定の装着位置に誘導して取付けることができる。
さらに、押圧手段は、支柱の凹溝に沿って、例えば支柱の下部、中間部及び上部の３カ所に設置するなど複数個を設置してもよい。この場合、支柱の下端部に近い下部側に少なくとも一の押圧手段を設置することが好ましい。このようにすることで、止水壁で堰き止められる水の水位が比較的低く、壁面パネルにかかる水圧が小さくても、支柱の下部側に設置された押圧手段により壁面パネルが押圧されることで、壁面パネルの側端部と支柱の凹溝内面との接合部分が密閉されて水密性が確保され、堰き止めた水の漏れを確実に防止することができる。
【００１８】
前記構成の支柱は、必要な剛性を備えつつ軽量で容易に持ち運びができるように、断面略コ字形の鋼製枠材を用いて形成されていることが好ましい。複数の断面略コ字形の鋼製枠材を組み合わせ、溶接により一体に固定して形成してもよい。
穴部に差し込まれる支柱の下側部分は、支柱を穴部に差し込んだ状態で穴部に浸入した水が支柱内部の空隙を通って漏れ出ることを防ぐため、内部に仕切り部材を設けたり合成樹脂材を充填したりして塞いでおくことが好ましい。充填する合成樹脂材としては、例えば発泡ポリエチレンなどの軽量な合成樹脂製の充填材を用いることができる。また、支柱は、壁面パネルを安定的に支持する剛性を備えるものであれば、強化プラスチックなどの合成樹脂材やコンクリートなどの鋼材以外の材料を用いて形成することができる。
【００１９】
また、本発明の止水壁構成体は、前記構成の支柱であって基礎の上面に形成された穴部に着脱自在に設けられた複数の支柱と、基礎上に立て並べた支柱の間で支持される壁面パネルとを具備した構成を有することを特徴とする。
かかる構成の止水壁構成体は、構造物の出入口に面した部分などを基礎とし、この基礎の上面に複数形成された穴部に支柱を差し込んで基礎上に支柱を立て並べ、支柱の側部に設けられた凹溝に壁面パネルの側端部を嵌め込んで、支柱の間に壁面パネルを取り付けることにより、前記出入口に面した基礎上に止水壁を形成することができる。
また、本発明の構造物の出入口の止水構造は、構造物の出入口の両側の基礎に形成された穴部に、前記構成の支柱をそれぞれ差し込んで設置し、両支柱の側部に取付けられた弾性材を構造物の表面に密接させるとともに、両支柱の側部に設けられた凹溝に壁面パネルの側端部を嵌め込んで壁面パネルを取り付けることにより前記出入口に沿って止水壁を形成することを特徴とする。
【図面の簡単な説明】
【００２０】
【図１】本発明の一実施形態の止水壁構成体を構造物の出入口に設置した状態の平面図（Ａ）と正面図（Ｂ）である。
【図２】基礎に設ける穴部の概略構成図である。
【図３】図１の壁面パネルの平面図（Ａ）、正面図（Ｂ）及び正面図中のＣ−Ｃ線断面図（Ｃ）である。
【図４】図１の支柱の上部と下部を分離して示した構成を示した外観図である。
【図５】図１の支柱の側面図と正面図である。
【図６】図５中のＡ−Ａ線切断拡大端面図（Ａ）、Ｂ−Ｂ線切断拡大端面図及びＣ−Ｃ線切断拡大端面図（Ｃ）である。
【図７】押圧手段であるゴム栓の外観図（Ａ）と横断面図（Ｂ）である。
【図８】支柱に取付けたゴム栓の配置と壁面パネルの厚みとの関係を示した図（Ａ）と支柱に壁面パネルを装着した状態を示した図（Ｂ）である。
【図９】の鍔状弾性材の平面図（Ａ）と横断面図（Ｂ）である。
【図１０】支柱の側面における下部領域の半面を破断した要部拡大図である。
【図１１】構造物と支柱を差し込む穴部の形成位置との関係を示した図である。
【図１２】基礎上に支柱を立てたときの構造物の偏平な外面に弾性材が接触した状態を示した図（Ａ）と、構造物の傾斜した外面に弾性材が接触した状態を示した図（Ｂ）である。
【図１３】支柱を基礎に設けた穴部に差し込んで立てた状態を基礎と穴部のみを断面で示した要部拡大図である。
【図１４】本発明の他の実施形態の止水壁構成体を構造物の出入口に設置した状態の正面図である。
【図１５】図１４における構造物の外面に支柱の弾性材が接触している状態を示した要部拡大切断端面図である。
【図１６】従来の可搬式堤防の概略外観図である。
【発明を実施するための形態】
【００２１】
本発明の好適な実施の形態を、図面を参照して説明する。
図１は本発明の一実施形態の止水壁構成体を示している。
図示されるように、この止水壁構成体１は、構造物２に面したコンクリート舗装やアスファルト舗装がされた平坦な基礎３上であって構造物２の出入口の両側の近傍に穴部４，４を形成しておき、側部に凹溝５ａを有する一対の支柱５，５を互いに凹溝５ａが向き合いように向けて両穴部４，４にそれぞれ差し込んで立て並べ、両支柱５，５の凹溝５ａに壁面パネル６の両側端部を嵌め込んで支柱５，５の間に壁面パネル６を取り付けることにより、構造部２の出入口が面した基礎３上に緊急用の止水壁を形成する構成のものである。
【００２２】
穴部４は、図２に示されるように、支柱５の下部が略一杯に嵌る大きさの開口部４１ａを上部に有する有底箱形の鋼製の型枠４１を、基礎３の上面と開口部４１ａの端面とが面一となるように基礎３内に埋め込んで形成されている。なお、降雨がないときに穴部４は、歩行者が穴部４で躓くなどの危険がないように、同図に示す蓋板４２が取り付けられて開口部４１ａが塞がれた状態となっている。
また、壁面パネル６は、図３に示されるように、高剛性且つ軽量な鋼材や合成樹脂材などにより、支柱５，５の間に架け渡される横幅及びその側端部が支柱５の凹溝５ａに嵌合する厚みに形成された板材であり、その正面の左右両縁部と下辺に沿って弾性を有する合成樹脂製の止水ゴム６１を一体に固着して形成されている。
【００２３】
図４は図１に示された本形態の支柱５の外観、図５は支柱５の側面と正面をそれぞれ示しており、この支柱５はその周側部の内の一の側部に壁面パネル６の側端部が嵌合する凹溝５ａを備えており、その下部領域を基礎３上に型枠４１を埋め込んで設けられた穴部４に差し込んで、基礎３上に直立するように形成されている。
【００２４】
詳しくは、支柱５は、断面略コ字形の複数の鋼製の枠材５１を組み合わせて形成されており、その下部が枠材５１，５１の背面側同士を接合して溶接により一体化され、この一体化された枠材５１，５１の上端部に適宜な長さの同形状の枠材５１を載せ、且つ当該枠材５１の下端部を下側の枠材５１，５１の上端部に溶接一体化して形成してある。一対の枠材５１，５１を溶接一体化した支柱５の下部は、基礎３上に支柱５を立てたときに穴部４内に没入する部分、その上の枠材５１である支柱５の上部は基礎３上に露出する部分であり、上部の枠材５１の一の側部で縦方向に沿った開口した部分が壁面パネル６が嵌る凹溝５ａとなっている。
【００２５】
基礎３上に露出する支柱５の上部の枠材５１の周側部の表面部分には、凹溝５ａが配置された側部を除いて、当該枠材５１の上下両端部間に亘り、圧縮及び伸縮性が良好な発泡弾性ゴム材からなる厚さ３０ｍｍ程度の弾性材７を一体に貼り付けてある。
【００２６】
また、上部の枠材５１の凹溝５ａが配置された側部の下側には、図７に示されるように、円錐台形状のゴム栓８，８が凹溝５ａを挟んだ両側に対向配置し、且つ互いに周面の一部を凹溝５ａ内にはみ出させた位置で、当該側部の外面に留めネジで固定してある。ゴム栓８，８は、その中央の凹んだ部分に留めネジを差し込んで取付けられており、留めネジを軸として回転し得るように枠材５１に固定してある。
図８に示されるように、周面を凹溝５ａ内に突出させて取り付けられたゴム栓８，８の周縁間の幅Ｄ８は、壁面パネル６の厚みＤ６と略同じかそれよりも大きく設定されており、壁面パネル６の側端部を凹溝５ａ内にスムーズに嵌めることができるようになっている。また、一側のゴム栓８の周縁と凹溝５ａの内面間の幅Ｄ８１は、壁面パネル６の側縁の止水ゴム６１も含めた厚みＤ６１よりも小さく設定されており、同図（Ｂ）に示されるように、支柱５の凹溝５ａに壁面パネル６の側端部を嵌め込むと、壁面パネル６の裏面側のパネル面にゴム栓８が圧接して壁面パネル６を外側に押圧し、これにより止水ゴム６１が凹溝５ａの内面に押さえ付けられて密接し、壁面パネル６が凹溝５ａ内の所定の装着位置に保持されるとともに、凹溝５ａ内の壁面パネル６の側端部の水密性が確保されるようになっている。
【００２７】
また、支柱５は、図５及び図６に示されるように、穴部４内に没入する領域である下部の枠材５１，５１の内部に発泡ポリエチレンからなる充填材９を充填して枠材内部空隙を閉塞させ、また、両枠材５１，５１の左右両側面にＬ字アングル材からなる外方へ突出したストッパー片１０，１０を固着してあるとともに、ストッパー片１０の下側に沿った支柱５の外側面全周には適宜な幅及び厚みの帯状の弾性ゴムからなるリング状弾性材１１を一体に固着してあり、さらに、支柱５の外周に矩形リング形状をなす鍔状弾性材１２を嵌め込み、この鍔状弾性材１２をストッパー片１０，１０の下面に重ねて形成してある。
【００２８】
図５、図６及び図１０に示されるように、支柱５の外面に設けたストッパー片１０，１０は、支柱５を穴部４に差し込んだときに、穴部４の周辺の基礎３の上面に係合してストッパー片１０，１０よりも下側の支柱５の下部領域を穴部４内に没入させるように設けられており、充填材９は、前記ストッパー片１０，１０の係合により穴部４に没入する支柱５の下部領域の長さ分だけ、つまり両枠材５１，５１の下端部からストッパー片１０の取り付け位置に至る高さまで充填してある。
また、リング状弾性材１１はストッパー片１０の直下から下方へ適宜な幅だけ支柱５の外面に重ねて固着されており、図１３に示されるように、支柱５を穴部４に差し込んだ状態で、リング状弾性材９が穴部４の上端に面して穴部４の内面に圧接し、これにより穴部４の内面と支柱５の表面との隙間が塞がれるように設けてある。
【００２９】
鍔状弾性材１２は、圧縮及び伸縮性が良好な発泡弾性ゴム材を用い、図９に示されるように、支柱５の外周面が一杯に嵌る方形の開口部１２ａを幅１０ｍｍ程度の鍔部１２ｂで囲った、厚さ５ｍｍ程度の矩形リング形状に形成されており、支柱５の下端部からその外周面に嵌め込んでストッパー片１０，１０の下面に重ねて設置してある。
この鍔状弾性材１２としては、合成樹脂或いは不織布からなるシート状又はフィルム状を心材層とし、その表裏両面に、合成樹脂ゴム発泡材料を積層した構成のものを用いることが好ましい。合成樹脂ゴム発泡材料は柔軟であるため、これ単体で鍔状弾性材１２を形成した場合、施工の際に、鍔状弾性材１２が捻れたり折れ重なったりすることがある。前記心材に合成樹脂ゴム発泡材料を積層した構成の鍔状弾性材１２であれば、弾性とともに適度な剛性が付与されて、施工の際に鍔状弾性材１２が捻れたり折れたりし難く、所定の位置にぴったりと取り付けることができて、捻れや折れによる隙間が生じることがない。
【００３０】
支柱５は、豪雨による下水道からの溢水などにより止水壁に計画規模の水圧が作用した際に、壁面パネル６を凹溝５ａから脱落させずに安定的に支持可能な剛性が付与される外形寸法に設けられ、また、穴部４は、その開口部４１ａに支柱５を容易に差し込むことが可能な内形寸法及び計画規模の水圧が壁面パネル６の表面に垂直方向に作用しても支柱５が倒れない程度の深さに設けられる。
例えば厚み２．３ｍｍの鋼製枠材５１を組み合わせて穴部４に没入する下部を横幅９０ｍｍ，奥行き７５ｍｍの外形寸法に支柱５を設けた場合、穴部４の開口部４１ａの内寸を９５ｍｍ×８０ｍｍ程度に設ければ支柱５の差し込み操作を容易且つ確実に行え、また、穴部４の深さを２５０ｍｍ程度として支柱５の下部が穴部４内に２００ｍｍ程度没入する深さに設ければ、壁面パネル６に水圧が作用しても支柱５が倒れる虞はない。そして、前記外形寸法の支柱５の下部全周に、厚み２〜５ｍｍ程度のリング状弾性材１１を固着しておけば、支柱５を穴部４に差し込んだときにリング状弾性材１１が圧縮して没入するとともに穴部４の上端内面に圧接して、穴部４と支柱５との隙間が確実に塞がれることとなる。
また、支柱５が前記外形寸法に形成されている場合、鍔状弾性材１２は、その開口部１２ａを支柱５の下部の外形寸法と同じ寸法に設けて形成することにより、鍔状弾性材１２が支柱５の外側面に密着して嵌り込み、支柱５を穴部４に差し込んだ際に、穴部４の上端における穴部４の内面と支柱５の表面との隙間に鍔状弾性材１２が嵌り込み、支柱５と穴部４の接続部位の隙間を確実に塞ぐことができる。
【００３１】
構造物２の出入口の両側に設ける穴部４，４は、図１１に示されるように、それぞれ構造物２の真横の基礎３にコア抜きを行い、穴の中に型枠４１をそれぞれ設置して形成される。この際、型枠４１は、構造物２との距離（Ｌ）が２０ｍｍ程度離れるように設置し、穴部４に支柱５を差し込んだときに支柱５の周側部に取り付けた厚み３０ｍｍの弾性材７が、２０ｍｍ程度の厚みに潰れて構造物２の外面に圧接するように設ける。
【００３２】
そして、構造物２の出入口の両側に設置された穴部４，４にそれぞれ支柱５を差し込み、支柱５のストッパー片１０，１０を穴部４の開口上端に係合させることにより基礎３上に支柱５を直立させ、両支柱５，５の凹溝５ａに壁面パネル６の側端部を嵌め入れて支持させるとともに、複数の壁面パネル６を多段に重ねて取り付けることにより、構造部２の出入口が面した基礎３上に緊急用の止水壁を構成することができる。
【００３３】
支柱５と穴部４は、支柱５を穴部４に差し込んだときに支柱５の周囲に穴部４の内面との間で適度な隙間ができる程度の大きさに形成してあるので、穴部４に支柱５を容易な操作で差し込むことができる。
また、支柱５を穴部４に差し込んだときに、図１２（Ａ）に示されるように、支柱５の周側部に取付けた弾性材７が潰れて構造物２の外面に密着接合するため、支柱５と構造物２の間の隙間が弾性材７により完全に塞がれ、両部材の間から止水壁の内側に水が入り込むことはない。弾性材７は、伸縮及び圧縮性が良好なため、構造物２の外面が傾斜した面であったり凹凸があったりしても、同図（Ｂ）に示されるように、弾性材７が構造物２の外面に沿って形状に圧縮変形して接合し、支柱５と構造物２の間の隙間を確実に塞いで水密性を保つことができる。
【００３４】
また、図１３に示されるように、支柱５を穴部４に差し込んだ状態で、支柱５の下部領域の外面に固着させたリング状弾性材１１が、自身の弾性により支柱５の表面と穴部４の上端内面との間に収縮して圧入し、支柱５の外面と穴部４の内面とに密着するため、穴部４の上端における穴部４と支柱５との間の隙間Ｃはリング状弾性材１１により完全に塞がれる。従って、止水壁を基礎３上に設置したときに、止水壁の外側に溜まった水が、穴部４と支柱５との隙間Ｃを通って止水壁の内側に漏れ出るようなことはなく、また、穴部４内に没入した支柱５の下部領域の内部は、充填材９を充填して枠材５１，５１内の空隙を閉塞してあるので、穴部４に浸入した水が支柱５の内部を通って漏れ出るようなこともない。
【００３５】
さらに、ストッパー片１０，１０の下側に重ねられた鍔状弾性材１２が、ストッパー片１０，１０が穴部４の上端に係合するのに伴って穴部４の上端周辺に接合し、併せてストッパー片１０，１０の下面と支柱５，５間に架設される壁面パネル６の下端部で鍔状弾性材１２が下方へ押圧されて圧縮し、穴部４の上端における支柱５の表面と穴部４の内面との隙間に密着して嵌り込むことで、支柱５と穴部４の接続部位の隙間が密閉され、この接続部位の止水性を高めることができる。
鍔状弾性材１２は、自身の弾性により穴部４の上端の周辺形状に沿って変形して接合するため、穴部４が開けられた基礎３の上面が凸凹していたり小石などが挟まっていたりしても穴部４の上端周辺に密着して接合し、また、支柱５の穴部４との接続部位に水圧による荷重が集中して穴部４内で支柱５の位置が偏っても、支柱５の偏りに追随して鍔状弾性材１２が変形して支柱５の表面と穴部４の内面との隙間に密着して嵌り込んだ状態が維持され、支柱５と穴部４の接続部位に隙間ができることはなく、接続部位からの水漏れの発生を効果的に防止することができる。
【００３６】
図１４及び図１５は、前記支柱５を使用して、構造物２であるビルの玄関の開閉扉２１に沿って止水壁を設置した形態を示している。
詳しくは、玄関の開閉扉に沿った基礎３上であって左右の枠部２２，２２の近傍と、その中間に位置の基礎３に前記穴部４を各々設けておき、豪雨などで玄関からビルの内部が浸水する危険がある場合に、左右の枠部２２，２２の近傍に設けられた穴部４，４に前記支柱５を差し込み、中間位置に設けられた穴部４には断面コ字形の一対の枠材５１，５１の背面同士を固着して左右両側を凹溝５ａとした支柱５Ａを差し込んで各々基礎３上に直立させ、左右の支柱５，５と中央の支柱５Ａの間に壁面パネル６を取付けて支柱５，５Ａで支持させることにより、開閉扉２２の外側に止水壁を構成したものである。
そして、図１５に示されるように、開閉扉２１を囲う枠部２２の外面に支柱５の弾性材７を圧縮状態で密接させることで、止水壁の内側に水が入り込むことを防ぎ、ビル内部が浸水する事態の発生を防止するようになっている。なお、図示されないが、穴部４に没入する支柱５Ａの下部は支柱５と同様に形成してある。
【００３７】
なお、図示した止水壁構成体１、支柱５、５Ａ及び壁面パネル６の形態は一例であり、本発明はこれに限定されず、他の適宜な形態で構成することが可能である。
【符号の説明】
【００３８】
１  止水壁構成体、２  構造物、３  基礎、４  穴部、５  支柱、６  壁面パネル、７  弾性材、８  ゴム栓、９  充填材、１０  ストッパー片、１１  リング状弾性材、１２  鍔状弾性材
【要約】
【課題】構造物の出入口に面して止水壁を形成する際に、基礎上に支柱を着脱自在に設置可能とし、設置した支柱と構造物の外面の間を水密に塞いで、止水壁の内側に水が入り込まないようにする。
【解決手段】基礎３に設けた穴部４に、壁面パネル６を支持する支柱５を着脱自在に構成するとともに、穴部４に差し込んだときに基礎３上に露出する支柱５の周側部の表面部分に、伸縮及び圧縮性に優れた弾性材７を一体に取付ける。支柱５を穴部４に差し込んだ状態で、構造物２の外面に弾性材７が潰れて密接するように、穴部４の位置を設定する。
【選択図】図１【図１】
0005681321.tif 000002
【図２】
0005681321.tif 000003
【図３】
0005681321.tif 000004
【図４】
0005681321.tif 000005
【図５】
0005681321.tif 000006
【図６】
0005681321.tif 000007
【図７】
0005681321.tif 000008
【図８】
0005681321.tif 000009
【図９】
0005681321.tif 000010
【図１０】
0005681321.tif 000011
【図１１】
0005681321.tif 000012
【図１２】
0005681321.tif 000013
【図１３】
0005681321.tif 000014
【図１４】
0005681321.tif 000015
【図１５】
0005681321.tif 000016
【図１６】
0005681321.tif 000017